(57)【特許請求の範囲】
【請求項１】
下側部材に対して前後方向にスライド可能に取り付けられた上側部材に摺動可能に支持される揺動軸及び該揺動軸から延出し垂下した状態で前記上側部材の下面から突出するストッパー部を有するストッパー部材と、前記下側部材に設けられて垂下した状態の前記ストッパー部が当接するストッパ当接部とを有し、前記ストッパー部材が揺動する際に前記ストッパー部が通過可能である貫通孔が前記上側部材に形成され、前記ストッパー部材は前記上側部材の上方から当該上側部材に取り付けられて揺動して前記ストッパー部が前記貫通孔を通過し前記上側部材の下面から突出して垂下した状態になり、且つ、当該ストッパー部が垂下した状態では前記ストッパー部材が前記上側部材から外れることがなく、前記ストッパー部材は前記ストッパー部が垂下した状態から前方向と後方向とのいずれか一方向のみに揺動可能であり、前記ストッパー部材が前記揺動可能な方向と逆向きに前記上側部材がスライドする際に前記ストッパー部が垂下した状態から揺動して前記ストッパ当接部を乗り越え、次いで前記ストッパー部材が前記揺動可能な方向と同じ向きに前記上側部材がスライドするときは前記ストッパー部が揺動することなく垂下した状態のまま前記ストッパ当接部と当接して前記上側部材のスライドストッパーとして機能することを特徴とする椅子の座のスライドストッパー。
【請求項２】
前記ストッパ当接部を乗り越えた後に前記ストッパ当接部と当接することにより、椅子の使用における前記上側部材のスライドによっては揺動することがないように前記ストッパー部材が固定されることを特徴とする請求項１記載の椅子の座のスライドストッパー。
【請求項３】
前記ストッパー部が垂下した状態で前記揺動可能な方向と逆向きに突出して前記上側部材の下面に係合する下部爪が前記ストッパー部の下端に形成されていることを特徴とする請求項１記載の椅子の座のスライドストッパー。
【請求項４】
前記揺動軸の端部を摺動可能に支持する揺動軸支持孔を有し対向する凸部として揺動軸支持部が前記上側部材に設けられ、前記揺動軸支持部の内側面の前記揺動軸支持孔の前後位置に前側リブと後側リブとが設けられていることを特徴とする請求項１記載の椅子の座のスライドストッパー。
【請求項５】
前記揺動軸の両端部に該揺動軸の軸心直角断面方向に対して傾斜する面が形成されていることを特徴とする請求項１記載の椅子の座のスライドストッパー。
【請求項６】
前記上側部材が座板であると共に前記下側部材が座受部材であることを特徴とする請求項１記載の椅子の座のスライドストッパー。
【発明の詳細な説明】
【技術分野】
【０００１】
本発明は、椅子の座のスライドストッパーに関する。さらに詳述すると、本発明は、座受部材等の下側部材に対して座板等の上側部材を前後にスライド可能とする椅子に用いられる座のスライドストッパーに関する。
【背景技術】
【０００２】
座受部材に対して座板を前後にスライド可能とする椅子に用いられる従来の座板のスライドストッパーとしては例えば、図１３に示すように、座部１０１の下面に取り付けられる座板１０２に平面視後ろ向き開口コ字状のスリット１０２ｂで囲われた変形容易部１０２ａが設けられると共に当該変形容易部１０２ａに左右一対の係合ブラケット１０３が形成され、当該係合ブラケット１０３に前後方向に断続する下向きの係合凹所１０３ａが形成され、さらに、座受部材（図示省略）には係合凹所１０３ａが嵌るピン１０４が設けられ、スリット１０２ｂの存在によって係合ブラケット１０３が上向きに起こされて座板１０２の前後移動調節が行われるものがある（特許文献１）。
【先行技術文献】
【特許文献】
【０００３】
【特許文献１】特開２００４−２４７０２号
【発明の概要】
【発明が解決しようとする課題】
【０００４】
しかしながら、特許文献１の座板のスライドストッパーでは、座板１０２の本体部分と一体成形された変形容易部１０２ａの本体部分との付け根部分を弾性変形させて座板１０２のスライド具合を調節するものであるので変形容易部１０２ａの付け根部分を薄板構造とする必要があるところ、当該薄板の部分には弾性変形時には縦にねじる力が加わると共に使用時には係合凹所１０３ａとピン１０４との係合による横の力が加わり、これによって変形容易部１０２ａの付け根部分が破損してしまう場合があり耐久性が低いという問題がある。そして、変形容易部１０２ａの付け根部分が破損してしまった場合には、座板１０２全部を取り換える必要があり無駄が発生してしまうという問題がある。
【０００５】
また、特許文献１の座板のスライドストッパーでは、座板１０２の本体部分と変形容易部１０２ａとは一体成形されるので成形による品質のばらつきが生じる場合があり、品質のばらつきによって弾性変形部の回転軌道が安定しないために係合凹所１０３ａに対してピン１０４がぴったりとはまらずにがたつきや偏った外力が加わることによる破損が発生する場合があり耐久性が低いという問題がある。
【０００６】
また、特許文献１の座板のスライドストッパーでは、座板１０２を前後にスライドさせるための座板１０２の雌形レールと座受部材の雄形レールとを噛み合わせながら座板１０２を後方（図１３中の符号１０５の矢印の向き）に向けてスライドさせて係合ブラケット１０３の後面の傾斜面１０３ｂのガイド作用と変形容易部１０２ａの弾性変形とによって係合ブラケット１０３の後端部がピン１０４を乗り越えて（図１３（Ａ））座板１０２が座受部材に取り付けられると共に隣り合う係合凹所１０３ａの間の凸部がピン１０４を乗り越えて（図１３（Ｂ））前後移動調節が行われるので、傾斜面１０３ｂの反対側の面（即ち前面）であって係合凹所１０３ａに嵌められるピン１０４が当接する面を大きく（言い換えると高く）とることができないと共に係合凹所１０３ａを深くすることができず、通常の使用時において座板１０２に前後方向の外力が加わった場合にストッパーとして機能することができずに予期せずスライドしてしまう場合があり安定性・安全性が低いという問題がある。
【０００７】
さらに、特許文献１の座板のスライドストッパーでは、座板１０２の本体部分と変形容易部１０２ａとは一体成形されるので座板１０２として要求される例えば強度などの性能を満たす材質によって変形容易部１０２ａも形成する必要があり、このことが設計上の制約になってしまうという問題がある。
【０００８】
そこで、本発明は、耐久性並びに安定性・安全性を向上させることができると共に設計上の制約がなく汎用性を向上させることができる椅子の座のスライドストッパーを提供することを目的とする。
【課題を解決するための手段】
【０００９】
かかる目的を達成するため、請求項１記載の椅子の座のスライドストッパーは、下側部材に対して前後方向にスライド可能に取り付けられた上側部材に摺動可能に支持される揺動軸及び該揺動軸から延出し垂下した状態で上側部材の下面から突出するストッパー部を有するストッパー部材と、下側部材に設けられて垂下した状態のストッパー部が当接するストッパ当接部とを有し、ストッパー部材が揺動する際にストッパー部が通過可能である貫通孔が上側部材に形成され、ストッパー部材は上側部材の上方から当該上側部材に取り付けられて揺動してストッパー部が貫通孔を通過し上側部材の下面から突出して垂下した状態になり、且つ、当該ストッパー部が垂下した状態ではストッパー部材が上側部材から外れることがなく、ストッパー部材はストッパー部が垂下した状態から前方向と後方向とのいずれか一方向のみに揺動可能であり、ストッパー部材が揺動可能な方向と逆向きに上側部材がスライドする際にストッパー部が垂下した状態から揺動してストッパ当接部を乗り越え、次いでストッパー部材が揺動可能な方向と同じ向きに上側部材がスライドするときはストッパー部が揺動することなく垂下した状態のままストッパ当接部と当接して上側部材のスライドストッパーとして機能するようにしている。
【００１０】
また、請求項６記載の発明は、請求項１記載の椅子の座のスライドストッパーにおいて、上側部材が座板であると共に下側部材が座受部材であるようにしている。
【００１１】
したがって、この椅子の座のスライドストッパーによると、上側部材（例えば座板）とは別部材でスライドストッパーが構成されるようにしているので、弾性変形させる部分即ち構造的に強度が弱い部分を形成する必要がない。
【００１２】
また、この椅子の座のスライドストッパーによると、上側部材とは別部材でスライドストッパーが構成されるようにしているので、上側部材とスライドストッパーとを一体成形する場合のように品質のばらつきが発生することがない。
【００１３】
また、この椅子の座のスライドストッパーによると、上側部材とは別部材でスライドストッパーが構成されると共にストッパー部を揺動軸によって揺動させるようにしているので、ストッパー部とストッパ当接部との当接部分の大きさ（言い換えれば両者の引っ掛かりの程度）が上側部材と一体に形成されたストッパー部材が弾性変形可能な範囲に制限されることがなく、スライドストッパーとして必要とされる当接部分の大きさを確保することができる。
【００１４】
また、この椅子の座のスライドストッパーによると、上側部材とは別部材でスライドストッパーが構成されるようにしているので、上側部材の材質に限られることなくストッパー部の材質を選択することができ、また、ストッパー部を２色成形することもできる。例えば、ストッパー部がストッパ当接部に当接した際の衝撃を和らげるためにストッパー部のストッパ当接部に当接する側の面を柔らかめの材質で成形すると共にストッパー部として十分な強度を確保するために前記当接する側の面の反対側と揺動軸とを高い強度を有する材質で成形することができる。
【００１５】
また、請求項２記載の発明は、請求項１記載の椅子の座のスライドストッパーにおいて、ストッパ当接部を乗り越えた後にストッパ当接部と当接することにより、椅子の使用における上側部材のスライドによっては揺動することがないようにストッパー部材が固定されるようにしている。この場合には、椅子の使用時にストッパー部材が揺動して下側部材や上側部材と衝突を繰り返して異音が発生することが防止される。
【００１６】
また、請求項３記載の発明は、請求項１記載の椅子の座のスライドストッパーにおいて、ストッパー部が垂下した状態で揺動可能な方向と逆向きに突出して上側部材の下面に係合する下部爪がストッパー部の下端に形成されているようにしている。この場合には、ストッパー部がストッパ当接部に当接した際にストッパー部が受ける力を下部爪にも分散させて支持させることができる。
【００１７】
また、請求項４記載の発明は、請求項１記載の椅子の座のスライドストッパーにおいて、揺動軸の端部を摺動可能に支持する揺動軸支持孔を有し対向する凸部として揺動軸支持部が上側部材に設けられ、揺動軸支持部の内側面の揺動軸支持孔の前後位置に前側リブと後側リブとが設けられているようにしている。この場合には、ストッパー部材が直立の姿勢にならないと揺動軸が揺動軸支持孔から抜けないので、ストッパー部材が揺動軸支持部から（即ち上側部材から）外れ難くなる。
【００１８】
また、請求項５記載の発明は、請求項１記載の椅子の座のスライドストッパーにおいて、揺動軸の両端部に該揺動軸の軸心直角断面方向に対して傾斜する面が形成されているようにしている。この場合には、揺動軸を支持する孔に揺動軸が嵌め込み易くなる。
【発明の効果】
【００１９】
本発明の椅子の座のスライドストッパーによれば、上側部材（例えば座板）とスライドストッパーとを一体成形する場合のように弾性変形させる部分であって構造的に強度が弱い部分を形成する必要がないので、耐久性の向上を図ることが可能になる。また、上側部材に過度に強い外力が加えられてストッパー部材が万が一破損してしまった場合であってもストッパー部材だけを取り換えれば済むので、上側部材全部を取り換える場合と比べて無駄の発生を抑制することができる。
【００２０】
また、本発明の椅子の座のスライドストッパーによれば、上側部材とスライドストッパーとを一体成形する場合のように品質のばらつきが発生することがなく、ストッパー部材の揺動動作が安定するので、品質のばらつきに起因して動作がばらついて偏った外力が加わることによる破損を回避することができ、耐久性の向上を図ることが可能になる。
【００２１】
また、本発明の椅子の座のスライドストッパーによれば、スライドストッパーとして必要とされるストッパー部とストッパ当接部との当接部分の大きさを確保することができるので、下側部材に対する上側部材のスライド動作を確実に規制することができ、安定性・安全性の向上を図ることが可能になる。
【００２２】
また、本発明の椅子の座のスライドストッパーによれば、上側部材の材質に限られることなくストッパー部の材質を選択することができるので、ストッパー部を２色成形することなどにより、快適性の向上を図りながらストッパーとしての強度を確保することが可能になる。また、設計上の制約がないので椅子の座のスライドストッパーとして汎用性が高い。
【００２３】
また、本発明の椅子の座のスライドストッパーによれば、椅子の使用時にストッパー部材が揺動して下側部材や上側部材と衝突を繰り返して異音が発生することを防止することができるので、快適性の向上を図ることが可能になる。
【００２４】
また、本発明の椅子の座のスライドストッパーによれば、ストッパー部がストッパ当接部に当接した際にストッパー部が受ける力を下部爪にも分散させて支持させることができるので、ストッパー部材の破損を回避して耐久性の向上を図ることが可能になる。
【００２５】
また、本発明の椅子の座のスライドストッパーによれば、ストッパー部材が上側部材から外れ難くすることができるので、安定性・安全性の向上を図ることが可能になる。
【００２６】
また、本発明の椅子の座のスライドストッパーによれば、揺動軸を支持する孔に揺動軸を嵌め込み易くすることができるので、組み立ての手間の軽減を図ることが可能になる。
【図面の簡単な説明】
【００２７】
【図１】本発明の椅子の座のスライドストッパーの実施形態の一例を示す縦断面図である。
【図２】実施形態のストッパー部分を説明する拡大縦断面図である。
【図３】実施形態の構成を説明する平面図である。
【図４】実施形態の構成を説明する斜視図である。
【図５】実施形態のストッパー部材を説明する図である。（Ａ）は平面図である。（Ｂ）は側面図である。（Ｃ）は背面図である。（Ｄ）は背面側からの斜視図である。
【図６】実施形態の揺動軸支持部を説明する図である。（Ａ）はストッパー部が直立した姿勢の状態を示す図である。（Ｂ）はストッパー部が直立以外の姿勢の状態を示す図である。（Ｃ）は取り付けたり取り外したりする際のストッパー部の姿勢を説明する図である。
【図７】本発明の椅子の座のスライドストッパーの実施形態の一例を説明するための椅子の全体構成を示す側面図である。
【図８】実施形態の座受部材と座板との構成を説明する図である。
【図９】実施形態の座受部材のスライド被係合部と座板のスライド係合部との構成を説明する図である。
【図１０】本発明の椅子の座のスライドストッパーの他の構成を説明する図である。（Ａ）は座板取付時の動作を説明する縦断面図である。（Ｂ）はストッパー機能発揮時の動作を説明する縦断面図である。（Ｃ）はストッパー機能発揮時の斜視図である。
【図１１】本発明の椅子の座のスライドストッパーの更に他の構成を説明する図である。（Ａ）は座板取付時の動作を説明する縦断面図である。（Ｂ）はストッパー機能発揮時の動作を説明する縦断面図である。（Ｃ）はストッパー機能発揮時の斜視図である。
【図１２】本発明の椅子の座のスライドストッパーのまた更に他の構成を説明する縦断面図である。
【図１３】従来の椅子の座のスライドストッパーの構造を示す断面図である。
【発明を実施するための形態】
【００２８】
以下、本発明の構成を図面に示す実施の形態の一例に基づいて詳細に説明する。
【００２９】
図１から図９に、本発明の椅子の座のスライドストッパーの実施形態の一例を示す。なお、本実施形態では、本発明の椅子の座のスライドストッパーを図７に全体構造を示す椅子１の下側部材としての座受部材４に対して上側部材としての座板６ｂを前後方向にスライド可能にするためのスライド機構に適用した場合を例に挙げて説明する。
【００３０】
本実施形態の椅子１は、キャスターを有する脚２と、脚２の脚支柱２ａの上端に取り付けられ支持されるベース３と、ベース３の上方に配置され該ベース３と連結される座受部材４と、それぞれの下端部がベース３の左右側方に位置すると共にベース３及び座受部材４の左右両側方に離間して対をなして配置される一対の背フレーム５，５と、座受部材４に支持される座６とを備えている。ここで、本明細書においては、座６に座った着座者を基準にして上下、前後、左右を定義する。
【００３１】
座受部材４は、ベース３の前端寄りの位置を左右方向に貫通して設けられる座受部材連結軸９Ａを介して前端部が前後スライド且つ回転可能にベース３に連結される。
【００３２】
背フレーム５，５は、ベース３の中間位置を左右方向に貫通して設けられる背フレーム下端連結軸９Ｂを介して下端部が回転可能にベース３に連結されると共に、座受部材４の後端部を左右方向に貫通して設けられる背フレーム中間連結軸９Ｃを介して中間部が回転可能に座受部材４に連結される。また、背フレーム５，５には前面部分（即ち着座者の背があたる部分）が張地態様の背凭れ５Ａが取り付けられる。
【００３３】
そして、本実施形態の椅子１は、上記のベース３と座受部材４と背フレーム５，５と各種連結軸９Ａ，９Ｂ，９Ｃとからなる構成により、通常の着座姿勢から背フレーム５，５及び背凭れ５Ａを後傾させた場合に、背凭れ５Ａと同期して座受部材４に支持される座６が傾動動作する。
【００３４】
また、本実施形態の椅子１は、一端がベース３に対して回転可能に連結されると共に他端が座受部材４に対して回転可能に連結されてこれらベース３と座受部材４との間に介在する反力付与機構７を備え、これによって背フレーム５，５及び背凭れ５Ａ並びに座６の急な傾動動作が防止されると共に背フレーム５，５が後傾などした状態から元の状態への回復動作が補助される。なお、反力付与機構７としては具体的には例えばコイルスプリングや流体スプリングなどが用いられる。
【００３５】
さらに、本実施形態の椅子１の座６はクッション６ａと当該クッション６ａを下方から支持して剛性を担保するための座板６ｂとを有する。そして、本発明の椅子の座のスライドストッパーが取り付けられる椅子は下側部材としての座受部材４に対して上側部材としての座板６ｂが前後方向にスライド可能に構成され、これによって座６が前後方向にスライドする。具体的には、図７において実線で示すクッション６ａの位置と一点鎖線で示すクッション６ａ'の位置との間でスライドする。
【００３６】
ここで、本発明を成立させるための下側部材としての座受部材４に対して上側部材としての座板６ｂを前後方向にスライド可能にするためのスライド機構は特定の仕組みに限定されるものではなく、座受部材４の上面と座板６ｂの下面とが摺動可能に接した状態若しくは近接した状態で座板６ｂが座受部材４に沿ってスライドするものであれば良い。
【００３７】
本実施形態では、図８及び図９に示すように、座受部材４の上面に座板６ｂが摺動可能に載置されると共に、座板６ｂの下面に設けられたスライド係合部８Ａと座受部材４に設けられたスライド被係合部８Ｂ（：８Ｂａと８Ｂｂとからなる）とが摺動可能に噛み合って座板６ｂが前後の一定方向にスライドするように構成されている。なお、本実施形態では、左右一対のスライド係合部８Ａが座板６ｂ下面の前側の位置と後側の位置とに一組ずつ設けられると共にこれらスライド係合部８Ａの位置に合わせて左右一対のスライド被係合部８Ｂが座受部材４に二組設けられる。
【００３８】
本実施形態では、図９に示すように、スライド係合部８Ａは、座板６ｂの下面から下方に延出する垂下部８Ａａと当該垂下部８Ａａの下端から直角に内側方に延出する水平爪部８Ａｂとを有する内向き鉤状に、座板６ｂの下面に形成される。
【００３９】
一方、スライド被係合部８Ｂは、スライド係合部８Ａの水平爪部８Ａｂが貫通可能な大きさの嵌め込み孔部８Ｂａと、スライド係合部８Ａの垂下部８Ａａが貫通可能且つ水平爪部８Ａｂが貫通不可能な大きさのスライド長孔部８Ｂｂとを有し、これら嵌め込み孔部８Ｂａとスライド長孔部８Ｂｂとが連通する貫通長孔状に、座受部材４に形成される。なお、嵌め込み孔部８Ｂａはスライド係合部８Ａの水平爪部８Ａｂを丁度通過させることができる程度の大きさに形成される。
【００４０】
そして、座受部材４に形成されている各スライド被係合部８Ｂの嵌め込み孔部８Ｂａに座板６ｂ下面の各スライド係合部８Ａの水平爪部８Ａｂを位置を合わせて挿入し、座受部材４の上面に座板６ｂを載置した状態で座板６ｂを後方にスライドさせる。これにより、各水平爪部８Ａｂが座受部材４の下面側に突出していると共に各垂下部８Ａａがスライド長孔部８Ｂｂを貫通している状態で前後方向にスライド可能に座板６ｂが座受部材４に対して係合して支持される（図８，図９）。
【００４１】
そして、本実施形態の椅子の座のスライドストッパー１０は、下側部材としての座受部材４に対して前後方向にスライド可能に取り付けられた上側部材としての座板６ｂに摺動可能に支持される揺動軸１１Ａ及び該揺動軸１１Ａから延出し垂下した状態で座板６ｂの下面から突出するストッパー部１１Ｂを有するストッパー部材１１と、座受部材４に設けられて垂下した状態のストッパー部１１Ｂが当接するストッパ当接部１４とを有し、ストッパー部材１１はストッパー部１１Ｂが垂下した状態から前方向のみに揺動可能であり、ストッパー部材１１が揺動可能な方向と逆向きである後ろ向きに座板６ｂがスライドする際にストッパー部１１Ｂが垂下した状態から揺動してストッパ当接部１４を乗り越え、次いでストッパー部材１１が揺動可能な方向と同じ向きである前向きに座板６ｂがスライドするときはストッパー部１１Ｂが揺動することなく垂下した状態のままストッパ当接部１４と当接して座板６ｂのスライドストッパーとして機能するようにしている。
【００４２】
ストッパー部材１１は、左右方向に配置される揺動軸１１Ａと、当該揺動軸１１Ａの周面の一部から延出する板状のストッパー部１１Ｂとを有する。なお、揺動軸１１Ａの両端部はストッパー部１１Ｂの左右両端部から突出している。なお、ストッパーとしての機能を発揮するときは、ストッパー部材１１は、揺動軸１１Ａが上端になって当該揺動軸１１Ａの下端からストッパー部１１Ｂが垂下する状態になる。
【００４３】
本実施形態では、揺動軸１１Ａは揺動軸支持部１２に摺動可能に支持される。揺動軸支持部１２は、座板６ｂの上面に左右一対の凸部として形成され、対向する面である内側面のそれぞれにストッパー部材１１の揺動軸１１Ａの端部を摺動可能に支持するための揺動軸支持孔１２ａ，１２ａを有する。
【００４４】
そして、揺動軸１１Ａの左右両端部を揺動軸支持孔１２ａ，１２ａに嵌め込むことによってストッパー部材１１が揺動軸支持部１２に揺動可能に取り付けられて支持される。
【００４５】
また、本実施形態では、揺動軸支持部１２に支持されたストッパー部材１１の揺動軸１１Ａ位置から前側に、揺動軸支持部１２に支持されたストッパー部材１１が前方に揺動する際にストッパー部１１Ｂが通過可能な大きさの貫通孔１３が座板６ｂに形成される。
【００４６】
また、本実施形態では、上述のストッパー部材１１と揺動軸支持部１２と貫通孔１３とは、座板６ｂの左右中央の、前後中央から僅かに後方位置に設けられる。
【００４７】
本実施形態のストッパー部材１１の揺動軸１１Ａの左右端部は、図５に示すように、ストッパー部１１Ｂが垂下した状態において上側部分が軸心直角断面に対して傾斜して削り取られた態様の傾斜面１１ｃを有する。これにより、ストッパー部材１１を揺動軸支持部１２に取り付ける際に、板状のストッパー部１１Ｂを直立させて傾斜面１１ｃを下側に位置させた状態で揺動軸１１Ａの軸心方向を揺動軸支持孔１２ａ，１２ａを結ぶ直線方向（即ち左右水平方向）に対して傾斜させながら揺動軸１１Ａの一端を一方の揺動軸支持孔１２ａに嵌め込み、次いで軸心方向の傾斜を水平にして揺動軸１１Ａの他端を他方の揺動軸支持孔１２ａに嵌め込むようにすることにより、取り付け作業を容易に行うことが可能になる（図６（Ｃ））。
【００４８】
なお、図５に示す本実施形態では傾斜面１１ｃをストッパー部１１Ｂが垂下した状態において揺動軸１１Ａの左右端部の上側部分に設けるようにしているが、傾斜面１１ｃの態様はこれに限られるものではなく、揺動軸１１Ａの左右端部の全周に亘って設ける（言い換えると、面取りする）ようにしても良い（図５（Ｃ'））。また、傾斜面１１ｃの大きさ（言い換えると、傾斜面１１ｃを形成するために削り取る部分の大きさ）は例えば左右一対の揺動軸支持部１２の間隔や揺動軸１１Ａの直径を踏まえて揺動軸１１Ａの取り付け作業を容易に行うことが可能になるように適宜調整される。
【００４９】
揺動軸支持部１２の内側面（即ち左右一対の揺動軸支持部１２の対向面）には、図６に示すように、揺動軸支持孔１２ａの前後位置に前側リブ１２ｂと後側リブ１２ｃとがそれぞれ設けられる（言い換えると、揺動軸支持孔１２ａの上方はリブが設けられておらず途切れている）。左右の前側リブ１２ｂ，１２ｂの内側面同士（即ち対向する側面同士）の間隔はストッパー部材１１のストッパー部１１Ｂの左右方向の幅よりも僅かに広い間隔に調整される。
【００５０】
左右の前側リブ１２ｂ，１２ｂにより、ストッパー部材１１のストッパー部１１Ｂが上方に回転して上下方向に近い姿勢（即ち直立に近い姿勢）以外の姿勢をしているときはストッパー部１１Ｂが左右の前側リブ１２ｂ，１２ｂに挟まれて左右方向の動きが規制されてストッパー部材１１が揺動軸支持部１２から外れてしまうことがない（図６（Ａ），（Ｂ））。
【００５１】
一方、ストッパー部１１Ｂを直立させた姿勢にすることにより、前側リブ１２ｂと後側リブ１２ｃとの間であって上方のリブが途切れている部分に揺動軸１１Ａ及びストッパー部１１Ｂを入り込ませてストッパー部１１Ｂの左右端面が揺動軸支持部１２の内側面に当接する範囲で左右方向に動かすことができるので（図６（Ａ））、揺動軸１１Ａを左右水平方向に対して傾かせてストッパー部材１１を揺動軸支持部１２に取り付けたり取り外したりすることができる（図６（Ｃ））。そして、揺動軸１１Ａの左右端部に傾斜面１１ｃが形成されているので、前側リブ１２ｂと後側リブ１２ｃとの間であって上方のリブが途切れている部分を使うと共に揺動軸１１Ａを左右水平方向に対して傾かせてストッパー部材１１を揺動軸支持部１２に取り付けたり取り外したりする作業が容易に行える。
【００５２】
一方、座受部材４には、座板６ｂに取り付けられた上述のストッパー部材１１と組み合わされて機能するストッパ当接部１４が設けられる。
【００５３】
ストッパ当接部１４は、本実施形態では、当接面１４ａとして機能する後側面と受け面１４ｂとして機能する上面とを少なくとも有する凸部として形成される。
【００５４】
凸部の後側面である当接面１４ａは、ストッパー部材１１の機能発揮状態として揺動軸１１Ａから垂下している状態のストッパー部１１Ｂの前面と当接させて座板６ｂの前方へのスライドを制限するためのものである。
【００５５】
凸部の上面である受け面１４ｂは、係合させるために各スライド係合部８Ａの水平爪部８Ａｂと各スライド被係合部８Ｂの嵌め込み孔部８Ｂａとの位置を合わせて座受部材４の上面に座板６ｂを載置する際に、ストッパー部材１１のストッパー部１１Ｂを前方に揺動させた状態で受けて持ち上げておくためのものである。
【００５６】
そして、ストッパ当接部１４の上面の受け面１４ｂと後側面の当接面１４ａとによって本実施形態のスライドストッパー１０では、まず、各スライド係合部８Ａの水平爪部８Ａｂと各スライド被係合部８Ｂの嵌め込み孔部８Ｂａとの位置を合わせて座受部材４の上面に座板６ｂを載置した状態ではストッパー部材１１のストッパー部１１Ｂは前方に揺動した状態で受け面１４ｂに載り（図１（Ａ）及び（Ｂ），図２（Ａ））、次いで、座板６ｂを後方にスライドさせるとストッパー部１１Ｂが受け面１４ｂから外れて揺動軸１１Ａを中心として後方に揺動してストッパー部１１Ｂが垂下する（図１（Ｃ），図２（Ｂ））。
【００５７】
次に、座板６ｂを前方にスライドさせると垂下した状態のストッパー部１１Ｂの前面が当接面１４ａに当接する。このとき、座板６ｂの貫通孔１３は揺動軸１１Ａの位置から前側に設けられているものであって貫通孔１３の後縁は揺動軸１１Ａの直後の位置にあるので、垂下した状態のストッパー部１１Ｂの前面が当接面１４ａに当接するとストッパー部１１Ｂの後面が貫通孔１３の後縁に当接し、その状態よりも更に後方には揺動しない（図１（Ｄ），図２（Ｃ））。
【００５８】
これにより、ストッパー部１１Ｂは前面が当接面１４ａに当接した状態で固定されるので座板６ｂが更に前方にスライドすることが無いようにストッパーとしての機能が発揮され、そしてストッパー部１１Ｂはストッパ当接部１４に乗り上げることがないので座板６ｂの下面に形成されている各スライド係合部８Ａの水平爪部８Ａｂが座受部材４に形成されている各スライド被係合部８Ｂの嵌め込み孔部８Ｂａの位置まで移動することがなく（即ち、図１（Ｂ）の位置までスライドすることができない）、したがって座受部材４と座板６ｂとの係合が外れてしまうことがない。
【００５９】
なお、メンテナンスや修理などの際に座板６ｂを座受部材４から取り外すときは、図１（Ｃ）や図２（Ｂ）の状態において座受部材４の底面の開口部４ａから手を差し込んでストッパー部１１Ｂを前方に揺動させて持ち上げ、その状態で座板６ｂを前方にスライドさせてストッパー部１１Ｂをストッパ当接部１４の受け面１４ｂに載せる。これにより、各スライド被係合部８Ｂの嵌め込み孔部８Ｂａの位置と各スライド係合部８Ａの水平爪部８Ａｂの位置とを一致させて座板６ｂを座受部材４から取り外すことができる。
【００６０】
また、本実施形態のストッパー部材１１は、ストッパー部１１Ｂが垂下した状態で前面が当接面１４ａに当接すると共に後面が貫通孔１３の後縁に一度当接したときに、ストッパー部１１Ｂが垂下した状態で固定される仕組みを備える。
【００６１】
本実施形態では具体的には、図５に示すように、ストッパー部１１Ｂの後面が貫通孔１３の後縁に当接した状態で座板６ｂを上下で掴んで把持するための、ストッパー部１１Ｂの上端に垂下状態で後方に向かって突出する上部爪１１ｄと、ストッパー部１１Ｂの下端に垂下状態で後方に向かって突出する下部爪１１ｅとが形成される。
【００６２】
そして、これら上部爪１１ｄと下部爪１１ｅとによって貫通孔１３の後縁を形成する座板６ｂを上下で挟み込んで把持する（言い換えると、座板６ｂと係合する）ことにより、座板６ｂが前後方向にスライドする場合でもストッパー部１１Ｂが垂下した状態で固定される（図１（Ｅ））。
【００６３】
これにより、椅子１の使用時にストッパー部材１１が揺動して他の部材と衝突を繰り返して異音が発生してしまうことが防止されると共に、ストッパー部材１１が勢いよく前方に揺動してストッパー部１１Ｂがストッパ当接部１４を乗り越えてストッパーとしての役目を果たさなくなってしまうことが防止される。そして、各スライド係合部８Ａの水平爪部８Ａｂが各スライド被係合部８Ｂの嵌め込み孔部８Ｂａの位置まで移動することがないので座受部材４と座板６ｂとの係合が外れてしまうことが防止される。なお、ストッパー部材１１は上下の爪１１ｄ，１１ｅによって座板６ｂを単に挟むことによって固定されているだけなので、座受部材４から座板６ｂを取り外す場合には、ストッパー部材１１を揺動させる力を座受部材４の底面の開口部４ａから手で与えれば上下の爪１１ｄ，１１ｅによる把持は簡単に外れる。
【００６４】
また、ストッパー部１１Ｂの前面が当接面１４ａに当接すると相当の力が発生して貫通孔１３の後縁に当接するストッパー部１１Ｂに相当の負担がかかると共に貫通孔１３の後縁に当接するストッパー部１１Ｂの後面を支点として揺動軸１１Ａにも相当の負担がかかるところ、ストッパー部１１Ｂの下端に後方に向かって突出する下部爪１１ｅを設けて座板６ｂの下面に係合させるようにすると、ストッパー部１１Ｂ前面と当接面１４ａとの当接によって発生する力を受ける面として下部爪１１ｅを機能させて当接時の力を分散させて支持させることができる。したがって、ストッパー部１１Ｂ及び揺動軸１１Ａにかかる負担を軽減させることができ、ストッパー部材１１の破損を防ぐことができる。
【００６５】
ここで、本発明におけるスライドストッパーは、上述の構成のものには限られない。例えば図１０に示すような構成を有するものであっても良い。図１０に示すスライドストッパー１０は、ストッパー部材１１のストッパー部１１Ｂとして、ストッパーとしての機能発揮状態（言い換えると、ストッパー部１１Ｂが垂下した状態）においてストッパ当接部１４の当接面１４ａと対向して当接する対向当接面１１Ｂａと、当該対向当接面１１Ｂａ下端から揺動軸１１Ａ付近まで形成された後傾斜面１１Ｂｂと、対向当接面１１Ｂａ上端の左右方向中央部分から前方に張り出す引掛爪１１Ｂｃとを有する。
【００６６】
なお、図１０に示す例では、ストッパ当接部１４は後面の当接面１４ａと上面１４ｂと前面１４ｃとを有する直方体状の凸部として形成されている。
【００６７】
また、図１０に示すスライドストッパー１０は、外力が加えられずにストッパー部１１Ｂが垂下した状態において、当接面１４ａと当接する対向当接面１１Ｂａの方が揺動軸１１Ａの軸心位置よりも下側に位置する。
【００６８】
引掛爪１１Ｂｃは対向当接面１１Ｂａの左右方向中央部分から前方に張り出しており、対向当接面１１Ｂａの引掛爪１１Ｂｃが張り出している部分の左右両側位置にスリット１１Ｂｄ，１１Ｂｄが形成されている。これにより、引掛爪１１Ｂｃと連続する対向当接面１１Ｂａの左右方向中央部分は、対向当接面１１Ｂａの左右両側部分に対して弾性変形可能になっている。さらに、引掛爪１１Ｂｃの前端面には、下端に対して上端の方が前方に張り出している前傾斜面１１Ｂｅが形成されている。
【００６９】
また、貫通孔１３の前縁の端面には、上端に対して下端の方が後方に張り出している前傾斜面１３ａが形成されている。
【００７０】
以上のように構成された図１０に示すスライドストッパー１０によれば、引掛爪１１Ｂｃを座板６ｂの上方に位置させると共に揺動軸１１Ａを揺動軸支持部１２に摺動可能に取り付けたうえでストッパー部材１１に外力を加えないようにすると、引掛爪１１Ｂｃ前端の前傾斜面１１Ｂｅが貫通孔１３前縁の前傾斜面１３ａに僅かに引っ掛かった状態でストッパー部材１１は静止する。
【００７１】
なお、この状態は、図１０に示すスライドストッパー１０にとってストッパー部１１Ｂが初期段階として垂下した状態であり、この状態においてストッパー部１１Ｂの対向当接面１１Ｂａの下側部分が座板６ｂの下面から突出している。
【００７２】
この状態で、各スライド係合部８Ａの水平爪部８Ａｂと各スライド被係合部８Ｂの嵌め込み孔部８Ｂａとの位置を合わせて座受部材４の上面に座板６ｂを載置し当該座板６ｂを後方にスライドさせるとストッパ当接部１４の前面１４ｃ上端とストッパー部１１Ｂの後傾斜面１１Ｂｂとが当接し、座板６ｂを更に後方にスライドさせると前面１４ｃ上端に対して後傾斜面１１Ｂｂが摺動すると共にストッパー部１１Ｂが前方向から上向きに揺動し（図１０（Ａ））、その後にストッパ当接部１４の上面１４ｂに対して後傾斜面１１Ｂｂの下端が摺動し、その後にストッパー部材１１がストッパ当接部１４を完全に乗り越える。そして、引掛爪１１Ｂｃ前端の前傾斜面１１Ｂｅが貫通孔１３前縁の前傾斜面１３ａに僅かに引っ掛かった状態でストッパー部材１１が静止する（即ち、ストッパー部１１Ｂが初期段階として垂下した状態に戻る）。
【００７３】
次に、座板６ｂを前方にスライドさせると垂下した状態のストッパー部１１Ｂの対向当接面１１Ｂａがストッパ当接部１４の当接面１４ａに当接する。このとき、揺動軸１１Ａの軸心位置と対向当接面１１Ｂａとの位置関係に起因してストッパー部材１１に下向きに揺動する力が加えられることになる。そして、対向当接面１１Ｂａの左右方向中央部分の弾性変形と引掛爪１１Ｂｃ前端の前傾斜面１１Ｂｅと貫通孔１３前縁の前傾斜面１３ａとのガイド作用とによって、引掛爪１１Ｂｃが座板６ｂの下方に入り込み、ストッパー部１１Ｂが使用時として垂下した状態になる（図１０（Ｂ），（Ｃ））。
【００７４】
このとき、揺動軸１１Ａと後傾斜面１１Ｂｂとの間の部分が貫通孔１３の後縁部に引っ掛かり、引掛爪１１Ｂｃが座板６ｂの下方に僅かに入り込んだ状態から更に下向きに揺動することがない。一方、引掛爪１１Ｂｃが座板６ｂの下方に僅かに入り込んだ状態では両者の傾斜面１１Ｂｅ，１３ａによるガイド作用は発揮されず、座板６ｂの下方に一旦入り込んだ引掛爪１１Ｂｃは上方に抜けることがない。すなわち、ストッパー部１１Ｂが使用時として垂下した状態でストッパー部材１１が固定される。
【００７５】
さらに、本発明におけるスライドストッパーは、図１１に示すような構成を有するものであっても良い。図１１に示すスライドストッパー１０の特徴は、揺動軸１１Ａが軸心直角断面が前端部と後端部とが円弧状であるトラック（競走路）形状に形成され、且つ、揺動軸支持部１２の揺動軸支持孔１２ａ，１２ａがく字形をなす長孔、具体的には上端が開口している上下方向の長孔と当該上下方向長孔の下端部と前端部が連通する前後方向の長孔とからなるものとして形成されている点である。
【００７６】
そして、揺動軸支持孔１２ａは、揺動軸１１Ａが上下方向の長孔に沿って差し込まれた状態から前後方向の長孔に沿って前後方向に方向転換することができると共に、前後方向の長孔の後端に嵌った状態で揺動軸１１Ａが固定されストッパー部材１１が揺動することがないように形成される。
【００７７】
なお、図１１に示す例では、ストッパ当接部１４は後面の当接面１４ａと上面１４ｂと前面１４ｃとを有する直方体状の凸部として形成されている。
【００７８】
図１１に示すスライドストッパー１０の場合にも、座受部材４の上面に座板６ｂを載置し当該座板６ｂを後方にスライドさせるとストッパ当接部１４の前面１４ｃ上端及び上面１４ｂに対してストッパー部１１Ｂが摺動すると共にストッパー部１１Ｂが前方向から上向きに揺動し（図１１（Ａ））、その後にストッパー部材１１がストッパ当接部１４を完全に乗り越えて下向きに揺動し揺動軸１１Ａが前後方向の長孔に滑り込んで静止する。
【００７９】
次に、座板６ｂを前方にスライドさせると垂下した状態のストッパー部１１Ｂがストッパ当接部１４の当接面１４ａに当接する。そして、揺動軸１１Ａが揺動軸支持孔１２ａのうちの前後方向の長孔の後端位置に嵌ってストッパー部１１Ｂが垂下した状態でストッパー部材１１が固定される（図１１（Ｂ），（Ｃ））。
【００８０】
さらに、本発明におけるスライドストッパーは、図１２に示すような構成を有するものであっても良い。図１２に示すスライドストッパー１０の特徴は、図１，２に示すスライドストッパー１０と比べ、座板６ｂの貫通孔１３の前縁部が上方に盛り上がり更に後方に延出して貫通孔１３の上方を覆うようにストッパー部当接部１５が形成されていると共に、ストッパー部１１Ｂが揺動軸１１Ａよりも上方に延出して形成されている点である。なお、図１２に示す例ではストッパー部当接部１５を座板６ｂと一体のものとして形成するようにしているが、座板６ｂとストッパー部当接部１５とを別部材で形成するようにしても良い。
【００８１】
図１２に示すスライドストッパー１０は、図１，２に示すスライドストッパー１０と同様の動作をしてストッパー部１１Ｂが垂下した状態になる。このとき、図１２に示すスライドストッパー１０の場合には、ストッパー部１１Ｂの上端部分（即ち、揺動軸１１Ａよりも上方に延出した部分）の前面とストッパー部当接部１５の後面とが当接する。
【００８２】
したがって、図１２に示すスライドストッパー１０の場合には、ストッパ当接部１４の当接面１４ａが垂下した状態のストッパー部１１Ｂの前面に当接してストッパー部１１Ｂを後方に揺動させようとする外力が加えられた場合には、ストッパー部１１Ｂの後面が貫通孔１３の後縁に当接することに加え、ストッパー部１１Ｂの上端部分の前面がストッパー部当接部１５の後面に当接するので、図１，２に示す構成と比べてストッパー部１１Ｂの揺動を防ぐように当接して支持する箇所が増えて耐久性を更に向上させることができる。
【００８３】
以上の構成を有する本発明の椅子の座のスライドストッパーによれば、座板とスライドストッパーとを一体成形する場合のように弾性変形させる部分であって構造的に強度が弱い部分を形成する必要がないので、耐久性の向上を図ることが可能になる。また、座板とスライドストッパーとを一体成形する場合のように品質のばらつきが発生することがなく、ストッパー部材の揺動動作が安定するので、品質のばらつきに起因して動作がばらついて偏った外力が加わることによる破損を回避することができ、耐久性の向上を図ることが可能になる。また、スライドストッパーとして必要とされるストッパー部とストッパ当接部との当接部分の大きさを確保することができるので、座受部材に対する座板のスライド動作を確実に規制することができ、安定性・安全性の向上を図ることが可能になる。さらに、座板の材質に限られることなくストッパー部の材質を選択することができるので、ストッパー部を２色成形することなどにより、快適性の向上を図りながらストッパーとしての強度を確保することが可能になる。また、設計上の制約がないので椅子の座のスライドストッパーとして汎用性が高い。
【００８４】
なお、上述の形態は本発明の好適な形態の一例ではあるがこれに限定されるものではなく、本発明の要旨を逸脱しない範囲において種々変形実施可能である。例えば、上述の実施形態では、本発明の椅子の座のスライドストッパーを図７に全体構造を示す椅子１の座受部材４に対して座板６ｂを前後方向にスライド可能にするためのスライド機構に適用した場合を例に挙げて説明したが、本発明が適用され得る椅子は図７に示すものに限られない。
【００８５】
また、上述の実施形態では、座受部材４を下側部材とすると共に座板６ｂを上側部材として本発明を適用した場合を例に挙げて説明したが、本発明における下側部材や上側部材は座受部材や座板に限られるものではなく、両者が相対的にスライドするように構成された上側部材と下側部材とに対して本発明は適用され得る。具体的には例えば、本発明は、本実施形態の椅子１のベース３に該当するものを下側部材とすると共に座受部材４に該当するものを上側部材として適用されることも考えられ、また、背フレーム５に該当するものを下側部材とすると共に座受部材４に該当するものを上側部材として適用されることも考えられる（なおこれらの場合には座板６ｂは座受部材４に対して固定される）。
【００８６】
また、上述の実施形態では、本発明の椅子の座のスライドストッパー１０を構成するストッパー部材１１と揺動軸支持部１２と貫通孔１３とを座板６ｂの左右中央の前後中央から僅かに後方位置に一組設けるようにしているが、これらを設ける位置は上述の実施形態における位置には限られないし、これらを複数組設けるようにしても良い。
【００８７】
また、上述の実施形態では、揺動軸支持部１２は座板６ｂの上面に形成されるようにしているが、座受部材４に対する座板６ｂのスライド動作がストッパ当接部１４との関係で妨げられることがなければ、揺動軸支持部１２は座板６ｂの板位置や下面に形成されるようにしても良い。
【００８８】
また、上述の実施形態では、座受部材４の上面に座板６ｂを載置した状態で座板６ｂを一旦後方にスライドさせストッパー部材１１にストッパ当接部１４を乗り越えさせて座板６ｂの前方へのスライド動作が規制されるようにしているが、これとは逆に、座受部材４の上面に座板６ｂを載置した状態で座板６ｂを一旦前方にスライドさせストッパー部材１１にストッパ当接部１４を乗り越えさせて座板６ｂの後方へのスライド動作が規制されるようにしても良い。
【符号の説明】
【００８９】
１  椅子
４  下側部材（座受部材）
６  座
６ｄ  上側部材（座板）
１０  スライドストッパー
１１  ストッパー部材
１１Ａ  揺動軸
１１Ｂ  ストッパー部
１４  ストッパ当接部
【図１】
0005498116.tif 000002
【図２】
0005498116.tif 000003
【図３】
0005498116.tif 000004
【図５】
0005498116.tif 000005
【図６】
0005498116.tif 000006
【図７】
0005498116.tif 000007
【図８】
0005498116.tif 000008
【図９】
0005498116.tif 000009
【図１０】
0005498116.tif 000010
【図１１】
0005498116.tif 000011
【図１２】
0005498116.tif 000012
【図１３】
0005498116.tif 000013
【図４】
0005498116.tif 000014